(57)【特許請求の範囲】
【請求項１】
それぞれが各ラインポートにより互いに接続された親付加ドロップ・マルチプレクサ（ＡＤＭ）のリングネットワークを有するデータ伝送装置内のデータ保護方法であって、
各親ＡＤＭは従属ノードによりリングネットワークにアクセスさせる端局ポートを有し、少なくとも一つの従属ノードは入力トラヒック信号が前記従属ノードと、第１親ＡＤＭの端局又は第２親ＡＤＭと前記第１親ＡＤＭのラインポートのいずれかを直接に介した第１親ＡＤＭとの間を通過できるように２つの親ＡＤＭの端局に接続されており、
前記第１親ＡＤＭ内で、ラインと端局のそれぞれの入力トラヒック信号内の従属ノードからの、過剰なパリティまたは他の種類の欠陥指示の品質表示データを互いに比較する手段と、
そのデータ比較の成果の結果として目的への経路を定めるために入力トラヒック信号のどちらかを選択する手段とを含むことを特徴とするデータ伝送装置内のデータ保護方法。
【請求項２】
誤り指示のために前記ラインと端局のそれぞれの入力トラヒック信号内のオーバーヘッドを検査する手段を更に含む請求項１記載のデータ伝送装置内のデータ保護方法。
【請求項３】
実行基準を前もってセットできない検査済みオーバーヘッドの各部に関して指示フラグを上げる手段と、
各ポートの入力トラヒック信号用に上げたフラグを比較する手段と、
その比較の結果として使用されるポートを選択する手段と
を更に含む請求項２記載のデータ伝送装置内のデータ保護方法。
【請求項４】
前記リングネットワークは、同期デジタル階層（ＳＤＨ）ネットワークである請求項１〜３のいずれかに記載のデータ伝送装置内のデータ保護方法。
【発明の詳細な説明】
【０００１】
【産業上の利用分野】
本発明は、データ伝送装置内のデータ保護方法に関し、従来の伝送ネットワーク内の電気通信トラヒックの保護法を進歩させたものである。特に、排他的ではないが、ＳＤＨ（同期デジタル階層）を基にしたネットワーク内での方法である。
【０００２】
本発明は、毎秒２，０４８キロビット（毎秒２メガビット）レートのデジタルトラヒックに関するものである。しかし、本発明は、本発明のものと類似した構造を有したものが提供されるあらゆるデータ、またはあらゆる変調装置または情報レートの他のトラヒックにも応用可能である。
【０００３】
【従来の技術】
必要とされる１つの特性として、データはデータの質がチェックされ、データと共に移動する幾つかの関連情報を有することがある。極端な場合、データの全ての破損が質の不足とされる。しかしながら通常の条件下では、パリティまたは他のタイプのデジタル検査シーケンスの崩壊が、質の検査の上での例とされる。ＳＤＨを基にした信号は、このように使用されるタイプのパリティデータ（ＢＩＰ：バイト・インターリーブ・パリティ）により構成されている。
【０００４】
本発明が使用される装置は、ＡＤＭまたはドロップ・インサート・マルチプレクサとしても知られている付加ドロップ・マルチプレクサである。ＡＤＭは、光ファイバなどの電気通信ベアラに沿って経過するトラヒックの全てあるいは一部分に低コストでアクセスする。トラヒックは、「ラインポート」を介してアクセスする。そしてアクセスされたトラヒックは「端局ポート」を介して経過する。従来、伝送ネットワークは、自動的に、またはオペレータの制御下において選択された一つまたはそれ以上の代用するベアラを提供することによりベアラの破損からの保護をする。前者の場合、制御は、破損または受信された信号に対してなされるクオリティ検査に基づき行われる。後者の場合、制御は従来、状態の通知に基づいて行われ、オペレータの操作のための中央制御点へ通過される。帰還方向のトラヒックは、二重トラヒック装置の維持を簡易化するために、乱されていないままであるか、または破損のあったトラヒックの方向の経路と交換されてもよい。
【０００５】
【発明が解決しようとする課題】
自動制御の主な利点として、保護が一般的に高速で行われること、さらに作動コストが安いことがあげられる。しかしながら、一般的に再経路指定の柔軟性が制限されているという重大な欠点もある。沢山の代用経路から自動的に選択する柔軟性があると、応答が普通は遅くなる。コンピュータ処理電力が制限されているため、修繕が行われる前の時間の後、より長いあいだ障害が残ってしまう結果になる。
【０００６】
最も簡単な代用経路指定の例としては、同一の帰結点間の二つまたはそれ以上の機能している経路により分配される待機経路の選択がある。他の例としては、二つの経路を提供するリングの使用があり、一般に、多様経路と重なっていて、どちらか一つが必要なものとして選択される。ほとんどの場合、上記例に挙げたように、代用経路のそれぞれには、類似性、均整、または他の簡易化する特徴があり、それによる制御装置のデザインまたは操作はそれほど複雑ではなく、したがって操作が高速になる。
【０００７】
さらに複雑なネットワークにおいても、一般的に、制御装置が最適の経路として選択する可能性のある経路の副次的な配置をオペレータが指定することにより提供される高速自動再経路指定のための代用経路の選択は充分簡単に行うことができる。しかしながらまた、経路には、同一のデータレートであるなどの類似性または均整がある。
【０００８】
ＳＤＨの到達は、リングの使用増加と一致する。そして、リング使用においての幾つかの保護構成はすでに知られている通りである。データには、従来の機構がリング内の保護を規制する。または、一般的に相対的な様式でリングの外部に保護を拡張する。
【０００９】
単一のネットワークノード（「従属」ノード）が、リングの接続に非常に高い安全性を有することを要求されるという状況が起きてくる。たとえ、リング内のトラヒックが上に述べたような従来の手段により保護できるとしても、リングへの、またはリングからのトラヒックは通常、リングおよびリング上の一つの装置の間の接続を複写することのみにより自動的に保護される。他のどんな配列も、通常は上に述べたような制御に関する問題が出てきてしまい、自動保護は遅くなる傾向がある。
【００１０】
理想的には高速応答が制約されたものではない場合、ノードと二つまたはそれ以上のリング上の装置とは接続されていて、それによりオペレータが失敗した場合においても、リングへの、およびリングからのトラヒックは残存する。そのような装置はここでは、親とする。そして、説明される構造は二重ペアレンティングとして知られているものである。本発明の目的は、このような場合に高速の保護手段を提供することである。
【００１１】
【課題を解決するための手段】
本発明によれば、データがポートの間をマルチプレクス状態で伝送されるデータ伝送装置内のデータ保護方法において、前記保護は、代用信号内のペイロードのそれぞれの前記ポート間の選択により、前記ポートの間に適用され、共通の保護部の組は、同一の非常に小さなトラヒック容量を有していることを特徴とする。
【００１２】
【実施例】
本発明を充分に理解するために、７つの添付図面を参照して説明する。図面の図１から図４には、ネットワーク実施のさらに重要な要点が示されている。
【００１３】
図１および図２には、ａ−ｄ間のトラヒックが示されている。図１には、ａ−ｄ方向のトラヒックが示されていて、図２には、それとは逆方向のｄ−ａ方向のトラヒックが示されている。図３および図４には、ａ−ｄ間の最短保護経路破損の後、代用保護経路がどのようにａ−ｄ間に提供されるかが示されている。トラヒック方向に関する限りでは、図３は図１と、また、図４は図２と対応している。
【００１４】
図５には、内部リングトラヒックの接続が示されている。また、図６には、ａにおけるラインポート間の選択による保護が示されている。図７には、ｄからｃへのトラヒックのための二重経路が示されている。
【００１５】
図面では、符号Ｌがラインであり、Ｔは端局である。Ｓは二つの入力からの選択であり、Ｂは一つの入力から二つの出力へのブリッジである。Ｘは通常の経路内の破損であり、様々な箱はＡＤＭを示している。重要な発明の工程は、ラインＬと端局ＴのＡＤＭ内のポートの間の保護の応用であることが望まれる。以下、さらに詳しく説明する。
【００１６】
従来の、特に柔軟性のある保護手段は、パリティおよび他の情報が、一つのリングの二つの経路から入力される二つの信号で比較されるものである。特に、それぞれの毎秒２メガビットの信号および入力される二つの総合信号のＳＤＨ内のそれらのオーバーヘッドビットなどの部分は、それぞれ組になって比較され、それぞれの部分はそれ自身のパリティおよび他の情報と比較される。それにより、それぞれの部分は、どちらか一方の経路から選択される（ＳＤＨにおいて、そのような部分は「仮想コンテナ」とされている）。
【００１７】
この従来の方法は、特定の装置の欠陥により引き起こされる可能性のあるそれぞれの部分の破損により、全ての総合信号が他の経路から代わりに選択される必要がないという利点がある。そのような選択方法に関する変化は、通常、二つの経路間の伝播遅延の相違により通信障害を引き起こし、デジタル装置は、受信したデータの突然のタイムシフトを経験した後、一時的に体制を崩されてしまう。破損のある部分を修繕するために、破損のないトラヒック部にそのような障害がおよんでしまうのは望ましくない。
【００１８】
記載された方法は、一つのリングの二つの経路間に適用される。または、あらゆる二つの経路に拡張することもできる。しかしながら、経路の均整または類似性に対する一般的な要求事項が、容易にするため、つまり制御速度改善のため適用される。特に、ＡＤＭのラインポートおよび端局ポートは、一般的に多くの面で異なっている。例えば、通常は幾つかの端局があるため、ＡＤＭの機能とは、それぞれの端局のデータレートは総合ラインレートより低くなければならないということを意味している。
【００１９】
例外として、積載されている総合端局信号内のタイムスロットの比率のみに対応して、端局ポートがデータのクロックレートより高いクロックレートを使用することがある。これは、「減衰」モードとされていて、総合信号の幾つかの部分のみが存在していることを示している。この構成により、ラインおよび端局ポートの特徴の類似性の幾つかが許容される。しかし、ＡＤＭの内部構造は、基本的に、ラインおよび端局ポート間において不均整である。
【００２０】
本発明は、総合信号内のペイロードのそれぞれの部分の間の選択により行われる異なった総合ビットレートのポート間の保護を応用したものであり、共通する保護部のそれぞれの組は、同一の通常トラヒック容量を有している。
【００２１】
例えば、ビットレートの違いなど、ＡＤＭ内の端局およびラインポート間の様々な相違は、代用経路間の高速自動保護により代用経路を支援するためにポートのそれぞれのタイプの一つを組にすることによって保護が提供されることは一般的にはないことを意味している。理論上、このような保護が提供されるように構成することは可能であるが、知られている限りでは、見かけ上の複雑さおよびこのような構成の見かけ上の必要性により、保護は提供できない。
【００２２】
本発明の実行可能な実施例の一つにおいて、それぞれの入力信号のそれぞれの部分は、過剰なパリティまたは他の種類の欠陥の検査を受けたオーバーヘッドを有している。指示フラグは、実行時の基準に合わなかった部分に対して上げられる。そして、フラグは、専用処理器内で組になって比較される。そして、それぞれの比較の結果により、それぞれの部分に対して行われるトラヒック選択転換が実行される。この構成において、ラインおよび端局ポート間の機能的な違いは、保護の構成の設計に、無視できるほどの僅かな影響しかもたらさず、ラインおよび端局ポート間の保護は、異なるラインポート同士の間での保護と同様、簡単に応用できる。
【００２３】
本発明は、リングに接続された従属ノードの二重接続を提供するために、このようにして異なるタイプのポートを使用し、以下に説明されるような利点がある。図１を参照すると、本発明において、ノード（ｄ）は、親ＡＤＭ（ａ）の接続を、直接経路を使用することにより第２の親ＡＤＭ（ｂ）を介し、第１のＡＤＭに沿って規定する。これは通常、リング内の最短経路をとっている。
【００２４】
本発明の重要な利点を示した例において親ＡＤＭ（ａ）は、トラヒックを従属ノード（ｄ）と、親ＡＤＭ（ａ）の端局（Ｔ）のうちの一つの間に接続している。
【００２５】
保護を提供するため、図２に示されている第１の親（ａ）は、二つの入力信号を、一つはリング上から、もう一つは従属ノードに接続された端局上から選択し、そして、その後、選択されたトラヒックを端局（Ｔ）上の顧客に送れなければならない。現在存在する設計のものでは、これは不可能であり、保護は現在知られているＡＤＭＳのリングの二つの経路からの二つのラインポートなどによってのみ実現可能である。また、図６を参照すると、（ｄ）からのトラヒックが示されており、端局（Ｔ）は、予定された通り、（ａ）および（ｂ）を介してリングに入らなければならない。そして、リングを移動させ、それによりリングの両方の経路から第１のＡＤＭ（ａ）に入っていく。
【００２６】
図６を図２と比較すると、図６は、リング容量を浪費していることがわかる。よくあることだが、ノード（ｄ）に接続される（ａ）での顧客トラヒックが、総リングトラヒックの重要な割合である場合は特にそうである。このノードはアーバンネットワークセンタである可能性があるので、このような場合が起きる可能性がある。そして、リング上のノードに最も近い親ＡＤＭは、アーバン領域内にあることもよくあり、従って、高いトラヒック要求の顧客を有していることがよくある。この場合、従属ノードがリングとしっかり接続されるために、そのようなトラヒックすべてをリングの周囲すべてに所有する必要性があるため、リング内に必要な全トラヒック容量は大幅に上昇する。そしてコストも上昇する。
【００２７】
この状態は、図５に示されて言及されているように、リング内の代用経路を提供するために、全リング周辺のすべての内部リングトラヒックを所有する必要性と混乱させてはいけない。これは、一旦トラヒックがＡＤＭを介してリング内に入った時の、トラヒックに対する他の要求事項である。本発明の目的は、付加されるノード／親トラヒックの必要性を排斥し、二つの親ＡＤＭ（ａ）および（ｂ）間の最短経路上を移動するだけではなく、むしろリングの周辺すべてを移動することである。
【００２８】
本発明は、それぞれの信号に対して二重トラヒックの二つの方向が同一の経路に沿って通過できるという利点がある。これにより、保持スタッフは、通常共通ユニット上の両方の伝送方向を有している装置を何ら障害を起こすことなくサービスから取り出すことができる。従来、リング内の容量のむだは、それぞれの二重信号の二つの方向をリング内の異なった経路上を通すことにより、存在するセクション手段を使用するときにのみ縮小できた。この従来の解決法は、両方向に対する経路指定の共通性を保持するために、トラヒックがリングの周辺を無駄に通過する結果となる。
【００２９】
要約すると、ＳＤＨネットワーク内では、リング内のトラヒックはもとより、ノードおよび親の間のトラヒックは、ＳＤＨ形式である傾向がある。これは、トラヒックが比較のための必要とされるパリティおよび他の情報を含んでいて、二つの経路の間につくられることを意味している。本発明において、図２の親ＡＤＭ（ａ）は、通常一致する二つの信号の間で選択する。一つは端局を介して直接入力される信号、もう一つはリングを介して入力される信号である。トラヒックの他の方向においては、図１に示されているように、ノード（ｄ）は単にその二つの入力される信号の間で選択を行う。
【００３０】
図３および図４に示されているように、代用装置をセットアップするために、（ａ）および（ｂ）の間にあるような破損の検知をネットワーク管理により自動的に使用することができる。これは、二つの代用経路がそれらの間に自動修繕により存在するよう確定することにより、トラヒック接続が保持される可能性を最大にするためである。そのようなネットワークの変化は、通常、一つのＡＤＭ、例えば、（ａ）でのオリジナルの修復ほど速くはない。なぜならそれは、多重ＡＤＭに対する要求に係わる余分な複雑さのためである。しかしながら、トラヒック接続の平均有効性は改善される。
【００３１】
本発明は、交差接続にも応用され、それは一般的にトラヒック経路指定オプション内のＡＤＭよりも柔軟性に富んでいるが、リング内の動作を行うにあたり特別な装置を必要としない。
【００３２】
ＡＤＭは、交差接続の幾つかの特徴を備えている。真の交差接続の極端な場合、全てのポートは内部的に同様に扱われる。そのような二つのポートの間の入力トラヒックの自動セクションは、独創的ではなかった。（実際、そのような自動セクションは一般的に、高速自動セクションが存在し、さらに柔軟性のある構成の制御の複雑さのために、限られたグループのポートにのみ適用するように制限されている。）
【００３３】
しかしながら知られているかぎりでは、そのような交差接続の高速自動セクション／保護構成は、最近、それぞれ制御されているペイロード信号に部分的に応用されるよりむしろ、簡単なポートの間の選択によりそれぞれのポートの全てのペイロード信号に応用されている。（ここでの「ペイロード」とは、上部に伝送される総合信号の一部であり、リメインダは特に総合信号に関連するオーバーヘッドにより構成されていて、通常、終結させられ、さらなる伝送のために再生される。）
【００３４】
【発明の効果】
本発明において、選択処理は、ノードおよび親の間に送られる信号のそれぞれの部分に独自に応用されてもよい。また、リング上の他のＡＤＭに対するトラヒックの部分に保持されてもよい。そして、リング容量の最適の使用のために、それらに必要な細かい経路指定および保護転換構成は異なっている。ここで図７を参照すると、同図は、（ｄ）から（ｃ）へのトラヒックは、（ａ）または（ｂ）においての保護転換を実施する必要はなく、ａ−ｂ間のリングの短距離セクションを使用する必要もないことを示している。
【００３５】
ＡＤＭと交差接続の重要な違いにより、さらなる利点が挙げられる。それは、リング内のタイミングの弾性転送であるが、交差接続には、そのような特徴があることはまだ知られていない。英国特許出願９１０６１０１．０（公開番号２２５３９７３）には    、交差接続の特徴の幾つかを提供するＡＤＭについての顕著な例が記載されている。それらの特徴は、ＡＤＭのライン（リング）のポート上のみにおいて要求される。従って、交差接続上のすべてのポートがその特徴において一致する必要はない。
【００３６】
本発明により使用されるまでは、ＡＤＭのようなリング内において作動されている交差接続においては、リング内のどのグループのポートも、保護目的においてＡＤＭの機能で端局として使用される他のポートと関連することはなかった。よって一般的に、保護転換が二つのポートのグループに応用されることもなかった。
【００３７】
交差接続において保護がそのような二つのグループのポートに応用された場合、保護転換選択が全ての総合信号に対して応用されるか、またはその一部分に応用されるかに係わりなく本発明の目的に叶うものとなる。
【図面の簡単な説明】
【図１】（ａ）から（ｄ）方向のトラヒックを示す図である。
【図２】（ｄ）から（ａ）方向のトラヒックを示す図である。
【図３】図１のトラヒック方向に関して、最短保護経路が破損した後の代用経路の提供方法を示す図である。
【図４】図２のトラヒック方向に関して、最短保護経路が破損した後の代用経路の提供方法を示す図である。
【図５】内部リングトラヒックの接続を示す図である。
【図６】（ａ）におけるラインポート間の選択による保護を示す図である。
【図７】（ｄ）から（ｃ）へのトラヒックに対する二重経路を示す図である。
【符号の説明】
Ｌ  ライン
Ｔ  端局
Ｓ  二つの入力信号からの選択
Ｂ  一つの入力信号からの二つの出力信号へのブリッジ
ａ、ｂ、ｃ、ｄ  ＡＤＭ
【図１】
0003541206.tif 000002
【図２】
0003541206.tif 000003
【図３】
0003541206.tif 000004
【図４】
0003541206.tif 000005
【図５】
0003541206.tif 000006
【図６】
0003541206.tif 000007
【図７】
0003541206.tif 000008